(57)【要約】【課題】エスカレータ設置状態における安全性を確保でき、しかも、エスカレータより取り外した状態では、コンパクト化できるエスカレータの踏段を提供する。【解決手段】踏段６は、乗客が乗るクリート体１０と、クリート体１０に着脱自在で、且つ、下方の踏段６との段差面を塞ぐ使用位置とクリート体１０に重なる収納位置とで選択的に取り付け可能なライザー体１１と、クリート体１０に、ライザー体１１を支持する使用位置とクリート体１０に折り畳まれる収納位置との間で回転自在に支持されたライザー支持体１２とを備えている。【選択図】図２
2008133066.tif 000002
【特許請求の範囲】
【請求項１】
クリート体と、
前記クリート体に着脱自在で、且つ、下方の踏段との段差面を塞ぐ使用位置と前記クリート体に重なる非使用位置とで選択的に取り付け可能なライザー体と、
前記クリート体に、前記ライザー体を支持する使用位置と前記クリート体に折り畳まれる非使用位置との間で回転自在に支持されたライザー支持体と、
を備えたことを特徴とするエスカレータの踏段。
【請求項２】
前記ライザー支持体を使用位置と非使用位置でそれぞれ非回転に固定するライザー支持体位置固定手段を有することを特徴とする請求項１に記載されたエスカレータの踏段。
【請求項３】
前記ライザー支持体位置固定手段は、前記ライザー支持体に設けられ、使用位置と非使用位置で前記クリート体にそれぞれほぼ密着する２枚の支持体ブラケット部と、前記クリート体に設けられ、２枚の前記支持体ブラケット部が密着する面にそれぞれ開口するネジ孔とを備え、前記各支持体ブラケット部より締結ネジを前記ネジ孔に螺入することによって前記ライザー支持体を位置固定することを特徴とする請求項２に記載されたエスカレータの踏段。
【請求項４】
前記ライザー体を使用位置と非使用位置で前記クリート体に取付けできるライザー体取付け手段を有することを特徴とする請求項１に記載されたエスカレータの踏段。
【請求項５】
前記ライザー体取付け手段は、前記ライザー体と前記クリート体に設けられ、前記ライザー体の使用位置と非使用位置の両位置で互いにほぼ密着されるクリート体ブラケット部及びライザー体ブラケット部と、前記ライザー体の使用位置と非使用位置の両方の位置で前記クリート体ブラケット部と前記ライザー体ブラケット部間に挿入する固定ピンとを備え、前記クリート体ブラケット部と前記ライザー体ブラケット部間に挿入された固定ピンに締結ナットを螺入することによって前記ライザー体を前記クリート体に固定することを特徴とする請求項４に記載されたエスカレータの踏段。
【請求項６】
前記クリート体は、幅方向のほぼ中央で２分割され、互いに直線上に配置される使用位置と互いに折り畳む非使用位置との間で回転支持部を介して連結された２枚の分割クリート体から構成され、
前記ライザー体は、幅方向のほぼ中央で２分割された２枚の分割ライザー体にて構成され、前記各分割ライザー体は前記各分割クリート体にそれぞれ使用位置と非使用位置で選択的に取付け可能に設けられたことを特徴とする請求項１乃至請求項５のいずれかに記載されたエスカレータの踏段。
【発明の詳細な説明】
【技術分野】
【０００１】
本発明は、エスカレータの踏段に関する。
【背景技術】
【０００２】
エスカレータは、上階床と下階床の間に亘って配置されたトラス構造体と、このトラス構造体内で、且つ、上階床と下階床の各近傍位置に配置された一対のスプロケットと、この一対のスプロケットの間に掛け渡された踏段チェーンと、この踏段チェーンに連続的に支持された複数の踏段とを備えている。
【０００３】
踏段は、乗客が乗るクリート体と、このクリート体の一端に支持され、下方の踏段との段差面を塞ぐライザー体と、このライザー体をクリート体に支持するライザー支持体とを備え、トラス構造体の表面位置では階段としての姿勢を保持しつつ上方又は下方に移動する。
【０００４】
ところで、踏段は、エスカレータの設置前の段階では踏段チェーンより取り外された状態で運搬・保管等がなされる。又、エスカレータ設置後の保守点検時等では、踏段チェーンより取り外され、エスカレータの近傍に仮置きされる。このように踏段は、エスカレータに設置されていない状態では、単独で運搬・保管・仮置き等がなされるため、コンパクト化できれば便利である。
【０００５】
コンパクト化できる従来の踏段としては、例えば、特許文献１に開示されたものがある。この踏段は、ライザー体と、このライザー体に使用位置と収納位置（非使用位置）との間で回転自在に支持されたクリート体と、ライザー体に支持位置と収納位置との間で回転自在に支持されたライザー支持体（ストッパー）とを備えている。そして、踏段がトラス構造体の内部から表面位置に現れる際に、ライザー体及びライザー支持体を使用位置及び支持位置に変位させる方向に自重が作用し、ライザー体及びライザー支持体が使用位置及び支持位置に位置し、踏段がトラス構造体の表面から内部に退出する際に、ライザー体及びライザー支持体を収納位置に変位させる方向に自重が作用し、ライザー体及びライザー支持体が収納位置に戻る。
【０００６】
この踏段は、トラス構造体の幅を狭くするために折り畳み構造としたものであるが、踏段チェーンから取り外した場合には、コンパクト化できる。
【特許文献１】特開平６−３２５７７号公報
【発明の開示】
【発明が解決しようとする課題】
【０００７】
しかしながら、前記従来の踏段は、ライザー体及びライザー支持体が自重によって使用位置と収納位置に変位する構造であるため、何らかの理由によってライザー体やライザー支持体に回転抵抗が作用すると、ライザー体やライザー支持体が使用位置及び支持位置と収納位置の間を移動しない恐れがある。そのため、エスカレータ設置状態における安全性を確保できないという問題がある。
【０００８】
そこで、本発明は、エスカレータ設置状態における安全性を確保でき、しかも、エスカレータより取り外した状態では、コンパクト化できるエスカレータの踏段を提供することを目的とする。
【課題を解決するための手段】
【０００９】
本発明の特徴は、エスカレータの踏段であって、クリート体と、前記クリート体に着脱自在で、且つ、下方の踏段との段差面を塞ぐ使用位置と前記クリート体に重なる非使用位置とで選択的に取り付け可能なライザー体と、前記クリート体に、前記ライザー体を支持する使用位置と前記クリート体に折り畳まれる非使用位置との間で回転自在に支持されたライザー支持体とを備えたことを要旨とする。
【発明の効果】
【００１０】
本発明によれば、エスカレータに設置した状態では、踏段はライザー体がクリート体にライザー支持体によって支持され、ライザー体及びライザー支持体が移動しない構造体であるため、踏段としての形態を変形させることがない。又、エスカレータより取り外された状態では、クリート体よりライザー体を取り外してライザー支持体をクリート体に折り畳み、且つ、取り外したライザー体をクリート体に重ねるようにして取付け、全体としてフラットな形態とすることができる。以上より、エスカレータ設置状態における安全性を確保でき、しかも、エスカレータより取り外した状態では、コンパクト化できる。
【発明を実施するための最良の形態】
【００１１】
以下、本発明の実施の形態を図面を用いて説明する。
【００１２】
（第１の実施の形態）
図１〜図１２は本発明の第１の実施の形態を示し、図１はエスカレータの全体概略側面図、図２は踏段の使用形態の斜視図、図３はクリート体の裏面側から見た斜視図、図４は図３のＡ部拡大図、図５はライザー体の裏面側から見た斜視図、図６は図５のＢ部拡大図、図７は固定ピンの斜視図、図８はライザー支持体の外面側から見た斜視図、図９はライザー支持体の内面側から見た斜視図、図１０は踏段を収納形態とする途中過程を示す斜視図、図１１及び図１２は踏段の収納形態の斜視図である。
【００１３】
図１において、乗客コンベアであるエスカレータ１は、上階床（図示せず）と下階床（図示せず）の間に亘って配置されたトラス構造体２と、このトラス構造体２内で、且つ、上階床と下階床の各近傍位置に配置された一対のスプロケット３，４と、この一対のスプロケット３，４の間に掛け渡された無端状の図示しない踏段チェーンと、この踏段チェーンに連鎖状に支持された複数の踏段６と、トラス構造体２の上面の左右位置に立設された一対の欄干７と、この一対の欄干７の外周を移動軌跡とする一対の移動手摺８とを備えている。
【００１４】
図２〜図１２に示すように、前記踏段６は、乗客が乗るほぼフラット形状のクリート体１０と、クリート体１０に着脱自在に設けられた円弧形状のライザー体１１と、クリート体１０の両端に回転自在に支持された三角枠状の一対のライザー支持体１２と、一対のライザー支持体１２に設けられた一対のガイドローラ１３とから構成されている。踏段６は、ステンレス（ＳＵＳ）、アルミダイキャスト等より形成されている。
【００１５】
クリート体１０の乗客が乗り面で、且つ、その三方、または、四方の端面には、図示しないデマケーションコムが着脱可能となっている。
【００１６】
ライザー体１１は、下方の踏段との段差面を塞ぐ使用位置（図２の位置）とクリート体１０に重なり合う収納位置（図１１、図１２の位置：非使用位置）との位置でライザー体取付け手段１５によって選択的に取り付け可能に構成されている。
【００１７】
ライザー体取付け手段１５は、クリート体１０とライザー体１１に設けられ、ライザー体１１の使用位置と収納位置の両位置で互いにほぼ密着されるクリート体ブラケット部１６とライザー体ブラケット部１７を備えている。クリート体ブラケット部１６とライザー体ブラケット部１７は、クリート体１０とライザー体１１の裏面の中央位置に２個設けられている。各ブラケット部１６，１７には、それぞれ３つのピン挿入孔１６ａ，１７ａが形成されている。各ブラケット部１６，１７の３つのピン挿入孔１６ａ，１７ａは、使用位置と収納位置でそれぞれ２つが互いに一致する位置に位置するよう配置されている。使用位置と収納位置にあって、互いに一致する２つのピン挿入孔１６ａ，１７ａに固定ピン１８を挿入し、挿入した固定ピン１８に締結ナット１９を螺入することによってライザー体１１がクリート体１０に固定される。固定ピン１８は、図７に詳しく示すように、２本のネジピン１８ａと、これらを連結する連結ベース部１８ｂとから構成されている。
【００１８】
各ライザー支持体１２は、各蝶番２０を介してクリート体１０の裏面の両端位置に支持されている。各ライザー支持体１２は、ライザー体１１を支持する使用位置（図２の位置）とクリート体１０に折り畳まれる収納位置（図１１、図１２の位置）との間で回転自在に変位する。各ライザー支持体１２は、使用位置と収納位置でライザー支持体位置固定手段２１によってそれぞれ回転しないように固定される。
【００１９】
ライザー支持体位置固定手段２１は、ライザー支持体１１に設けられ、使用位置と収納位置でクリート体１０にそれぞれ密着する２枚の支持体ブラケット部２２と、クリート体１０に設けられ、２枚の支持体ブラケット部２２が密着する面にそれぞれ開口するネジ孔２３とを備えている。２枚の支持体ブラケット部２２には、ネジ挿入孔２２ａとネジ挿入溝２２ｂがそれぞれ形成されている。ライザー支持体１２の使用位置と収納位置の各位置で、クリート体１０に密着する支持体ブラケット部２２の表面より締結ネジ２４をネジ孔２３に螺入することによってライザー支持体１２がクリート体１０に固定される。
【００２０】
次に、図２に示す使用形態の踏段６を図１１の収納形態とする手順を説明する。図２において、クリート体ブラケット１６及びライザー体ブラケット１７より固定ピン１８と締結ナット１９をそれぞれ取り外す。また、ライザー支持体１２の支持体ブラケット部２２より締結ネジ２４を取り外す。次に、一対のライザー支持体１２を図２のＣ矢印方向に回転して使用位置から収納位置に変位し、図１０の状態とする。次に、ライザー体１１を一対のライザー支持体１２の上からクリート体１０に被せ、クリート体ブラケット部１６とライザー体ブラケット部１７とを互いに密着する位置にセットする。次に、双方のブラケット部１６，１７間の互いに一致する２つのネジ挿入孔１６ａ，１７ａに固定ピン１８を挿入し、固定ピン１８に締結ナット１９を螺入する。これによって、踏段６は、図１１及び図１２に示す収納形態となる。
【００２１】
エスカレータ１に設置した状態では、踏段６はライザー体１１がクリート体１０にライザー支持体１２によって支持され、ライザー体１１やライザー支持体１２が動かない構造体であるため、踏段６としての形態を変形させることがない。また、エスカレータ１より取り外された状態では、クリート体１０よりライザー体１１を取り外してライザー支持体１２をクリート体１０に折り畳み、且つ、取り外したライザー体１１をクリート体１０に重ねるようにして取付け、全体としてフラットな収納形態とすることができる。以上より、踏段６は、エスカレータ設置状態における安全性を確保でき、しかも、エスカレータ１より取り外した状態では、コンパクト化できる。
【００２２】
（第２の実施の形態）
図１３及び図１４は本発明の第２の実施の形態を示し、図１３は踏段の収納形態の途中過程の斜視図、図１４は踏段の収納形態の斜視図である。
【００２３】
図１３及び図１４において、この第２の実施の形態に係る踏段３０は、前記第１の実施の形態に係る踏段６と比較するに、クリート体１０とライザー体１１の構成が異なる。
【００２４】
つまり、クリート体１０は、幅方向のほぼ中央で２分割され、回転支持部である蝶番３１を介して連結された２つの分割クリート体１０Ａ，１０Ｂから構成されている。双方の分割クリート体１０Ａ，１０Ｂは、蝶番３１を支点として互いに直線上に配置される使用位置（図１３の位置）と互いに折り畳まれる収納位置（図１４の位置）との間で変位する。使用位置では、蝶番３１の回転を固定ピン３２と締結ナット３３で阻止することによって回転しないように固定される。また、収納位置では、蝶番３１の回転を固定ピン３４と締結ナット３３で阻止することによって回転しないように固定される。
【００２５】
ライザー体１１は、幅方向のほぼ中央で２分割された分割ライザー体１１Ａ，１１Ｂにて構成されている。各分割ライザー体１１Ａ，１１Ｂは各分割クリート体１０Ａ，１０Ｂにそれぞれ使用位置と収納位置で選択的に取付け可能に設けられている。
【００２６】
他の構成は、上記第１の実施の形態と同様であるため、重複説明を回避するべく説明を省略する。なお、図１３及び図１４において、第１の実施の形態と同一の構成箇所には同一符号を付して明確化を図る。
【００２７】
この第２の実施の形態においても、エスカレータに設置した状態では、踏段６Ａはライザー体１１がクリート体１０にライザー支持体１２によって支持され、且つ、ライザー体１１やライザー支持体１２が変位しない構造体であるため、踏段３０としての形態を変形させることがない。また、エスカレータより取り外された状態では、クリート体１０よりライザー体１１を取り外してライザー支持体１２をクリート体１０に折り畳み、且つ、取り外したライザー体１１をクリート体１０に重ねるようにして取付け、全体としてフラットな形態とすることができる。以上より、踏段３０は、エスカレータ設置状態における安全性を確保でき、しかも、エスカレータより取り外した状態では、コンパクト化できる。
【００２８】
特に、この第２の実施の形態では、踏段３０を図１３の状態よりＥ矢印方向に回転することで図１４の収納形態とすることができるため、第１の実施の形態と比べて幅方向にコンパクト化できるという利点がある。
【図面の簡単な説明】
【００２９】
【図１】本発明の第１の実施の形態に係る踏段を適用したエスカレータの全体概略側面図。
【図２】本発明の第１の実施の形態に係る踏段の使用形態の斜視図。
【図３】クリート体の裏面側から見た斜視図。
【図４】図３のＡ部拡大図。
【図５】ライザー体の裏面側から見た斜視図。
【図６】図５のＢ部拡大図。
【図７】固定ピンの斜視図。
【図８】ライザー支持体の外側から見た斜視図。
【図９】ライザー支持体の内側から見た斜視図。
【図１０】本発明の第１の実施の形態に係る踏段を収納形態とする途中過程を示す斜視図。
【図１１】本発明の第１の実施の形態に係る踏段の収納形態の斜視図。
【図１２】本発明の第１の実施の形態に係る踏段の収納形態の斜視図。
【図１３】本発明の第２の実施の形態に係る踏段の収納形態の途中過程の斜視図。
【図１４】本発明の第２の実施の形態に係る踏段の収納形態の斜視図。
【符号の説明】
【００３０】
１  エスカレータ
６  踏段
１０  クリート体
１０Ａ，１０Ｂ  分割クリート体
１１  ライザー体
１１Ａ，１１Ｂ  分割ライザー体
１２  ライザー支持体
１５  ライザー体取付け手段
１６  クリート体ブラケット部
１７  ライザー体ブラケット部
１８  固定ピン
２１  ライザー支持体位置固定手段
２２  支持体ブラケット部
２４  締結ネジ
３０  踏段
３１  蝶番（回転支持部）
【図１】
2008133066.tif 000003
【図２】
2008133066.tif 000004
【図３】
2008133066.tif 000005
【図４】
2008133066.tif 000006
【図５】
2008133066.tif 000007
【図６】
2008133066.tif 000008
【図７】
2008133066.tif 000009
【図８】
2008133066.tif 000010
【図９】
2008133066.tif 000011
【図１０】
2008133066.tif 000012
【図１１】
2008133066.tif 000013
【図１２】
2008133066.tif 000014
【図１３】
2008133066.tif 000015
【図１４】
2008133066.tif 000016